(57)【要約】【課題】  ケーブル冗長化によるコスト増や通信断の長時間化を招くことのない信頼性の高い通信ネットワークを実現する。【解決手段】  一端が局側光伝送装置３に接続された光ケーブルｃの他端を光スプリッタ２によって分岐した複数の光ケーブルａ，ｂを収容するとともに、局側光伝送装置３との通信を可能とする送受信部２１を備えた回線終端装置１であって、送受信部２１ａの異常を検出するＣＰＵ部６１と、異常が検出された送受信部２１ａを他の送受信部２１ｂに切り替えるセレクタ３１と、を備える構成としてある。【選択図】  図２
2009206540.tif 000002
【特許請求の範囲】
【請求項１】
上位装置に接続された一の通信経路を複数に分岐する分岐手段と、
前記分岐手段により分岐された各通信経路に接続され、前記上位装置と下位装置との通信を行わせる複数の送受信手段と、
前記送受信手段のうち、前記上位装置と通信が行われている送受信手段の異常を検出するとともに、異常が検出された送受信手段を、他の送受信手段に切り替えて前記上位装置と下位装置との通信を行わせる制御手段と、
を備えることを特徴とする回線終端装置。
【請求項２】
前記分岐手段が、前記上位装置に接続された一の光通信ケーブルを複数の光通信ケーブルに分岐する光スプリッタと、分岐された各光通信ケーブルに接続された複数のコネクタとを備え、
前記送受信手段が、前記複数の各コネクタに接続され、前記上位装置と下位装置との通信を行う複数の光モジュールを備え、
前記制御手段が、前記複数の各光モジュールのうち、前記上位装置と通信が行われている前記光モジュールの異常を検出する異常検出手段を備え、前記異常検出手段で異常が検出されると、異常が検出された光モジュールを、他の光モジュールに切り替えて前記上位装置と下位装置との通信を行わせる請求項１記載の回線終端装置。
【請求項３】
前記制御手段は、
前記送受信手段のハードウェア故障を検知したとき、又は前記送受信手段を介して受信される前記上位装置からの受信レベルが一定値以下であるときに、当該送受信手段の異常と判定する請求項１又は２記載の回線終端装置。
【請求項４】
前記制御手段は、
異常が検出された送受信手段を他の送受信手段に切り替えるとともに、当該異常が検出された送受信手段に設定された所定の通信パラメータを、切り替えられた他の送受信手段に設定する請求項１乃至３のいずれか一項記載の回線終端装置。
【請求項５】
前記送受信手段が、通電状態において前記通信経路に着脱可能な請求項１乃至４のいずれか一項記載の回線終端装置。
【請求項６】
上位装置と、下位装置と、前記上位装置と下位装置との通信を行わせる回線終端装置と、を備えた通信システムであって、
前記回線終端装置が、
前記上位装置に接続された一の通信経路を複数に分岐する分岐手段と、
前記分岐手段により分岐された各通信経路に接続され、前記上位装置と下位装置との通信を行わせる複数の送受信手段と、
前記送受信手段のうち、前記上位装置と通信が行われている送受信手段の異常を検出するとともに、異常が検出された送受信手段を、他の送受信手段に切り替えて前記上位装置と下位装置との通信を行わせる制御手段と、
を備えることを特徴とする冗長化通信システム。
【請求項７】
前記回線終端装置は、
前記分岐手段が、前記上位装置に接続された一の光通信ケーブルを複数の光通信ケーブルに分岐する光スプリッタと、分岐された各光通信ケーブルに接続された複数のコネクタとを備え、
前記送受信手段が、前記複数の各コネクタに接続され、前記上位装置と下位装置との通信を行う複数の光モジュールを備え、
前記制御手段が、前記複数の各光モジュールのうち、前記上位装置と通信が行われている前記光モジュールの異常を検出する異常検出手段を備え、前記異常検出手段で異常が検出されると、異常が検出された光モジュールを、他の光モジュールに切り替えて前記上位装置と下位装置との通信を行わせる請求項６記載の冗長化通信システム。
【請求項８】
前記上位装置は、
前記回線終端装置からの受信レベルが一定値以下であるときに、前記回線終端装置に対し所定の切替信号を送信する切替信号送信手段を備え、
前記回線終端装置は、
前記上位装置から前記切替信号を受信したときに、通信中の任意の送受信部を他の送受信部に切り替えるリモート制御手段を備える請求項６又は７記載の冗長化通信システム。
【請求項９】
前記回線終端装置は、
前記送受信部の異常が検出されたとき、又は前記制御手段により送受信部を切り替えたときには、前記上位装置に対し所定信号を送信する通知手段を備え、
前記上位装置は、
前記回線終端装置からの前記所定信号を受信したときに所定の警告を行う警告手段を備える請求項６乃至８のいずれか一項記載の冗長化通信システム。
【請求項１０】
前記上位装置は、
前記回線終端装置から前記所定信号を受信したときに、前記回線終端装置に対するデータ送信タイミングを補正する送信制御手段を備える請求項６乃至９のいずれか一項記載の冗長化通信システム。
【請求項１１】
上位装置と下位装置との通信を回線終端装置を介して行う通信方法であって、
前記上位装置に接続された一の通信経路を複数に分岐し、分岐された各通信経路に接続された送受信手段のうち、一の送受信手段を介して前記上位装置と下位装置との通信を行わせるステップと、
前記上位装置と通信が行われている送受信手段の異常を検出するステップと、
異常が検出された前記送受信手段を、他の送受信手段に切り替えて前記上位装置と下位装置との通信を行わせるステップと、
を有することを特徴とする冗長化通信方法。
【請求項１２】
上位装置と下位装置との通信を回線終端装置を介して行わせる通信プログラムであって、
回線終端装置を構成するコンピュータを、
前記上位装置に接続された一の通信経路を複数に分岐し、分岐された各通信経路に接続された送受信手段のうち、一の送受信手段を介して前記上位装置と下位装置との通信を行わせる手段、
前記上位装置と通信が行われている送受信手段の異常を検出する手段、
異常が検出された前記送受信手段を、他の送受信手段に切り替えて前記上位装置と下位装置との通信を行わせる手段、
として機能させるための冗長化通信プログラム。
【発明の詳細な説明】
【技術分野】
【０００１】
本発明は、光通信ネットワーク等において障害発生時の通信断時間を軽減する冗長構成を備えた回線終端装置に関する。
【背景技術】
【０００２】
昨今、ＦＴＴＨ（FiberToTheHome）等、通信インフラとして光ケーブルを利用した光ネットワークシステムの普及により、ユーザにとって快適なブロードバンド環境が整いつつある。
特に、最近ではＰＯＮ（PassiveOpticalNetwork）が注目されている。
図８は、ＰＯＮの一般的な構成を示したシステム構成図である。
同図に示すように、ＰＯＮは、上位装置である局側光伝送装置と下位装置である加入者端末とを効率よく接続するためのシステムであり、光終端装置と局側光伝送装置との間に光スプリッタを挿入し、分岐された光ケーブルを複数の光終端装置に収容することで、１本の光ケーブルを多数の加入者端末で共有できるように構成したネットワークである。
【０００３】
このようなＰＯＮを含む光ネットワークの普及に伴い、通信路や装置に故障が発生した場合の対策を考慮しておく必要がある。
これは、ネットワークにおける光終端装置は、通常、１加入者当たり１台で運用されており、万一、この光終端装置が故障した場合、装置交換・修理が完了するまで通信断となり、長時間のあいだ、ユーザはサービスを受けることが出来なくなるためである。
また、光終端装置は、宅内のみならず屋外にも設置されるため、アクセスに時間を要する場合もある。
さらに、その高速性や低コスト等のメリットから、重要なデータが取り扱われるケースも増えており、通信断となった場合の影響は計り知れないものとなっている。
【０００４】
このため、光ネットワークシステムの信頼性を確保するための対策が種々考案されている。
例えば、図９は、一般的なＰＯＮの障害検出方法を説明するためのブロック図である。
図９に示すように、この障害検出方法の対象は光終端装置であり、その中でも特に障害発生が多い送受信部に着目して対策を講じている。
具体的に、この光送受信部に故障等の異常が発生した場合、その異常を、光インタフェース制御部を介して、又は直接ＣＰＵ部が認識して、その旨を上位装置側に通知して異常が検知できるようになっている。
そして、光終端装置の異常を知った管理者や利用者は、現地に赴き、装置又は装置の部品を交換する等の保守対応を行うことで障害を復旧させるのが一般的な対応である。
【０００５】
また、冗長化構成を採ることで信頼性を確保する光伝送システムの一例が特許文献１や特許文献２に紹介されている。
特許文献１に記載されている予備系切替方式は、局内伝送装置と光ファイバ伝送路の間に、計算機による制御可能な光ファイバ主配線架を配備し、交換機の切替機能と光ファイバ主配線架の切替機能との併用で局内伝送装置における予備系への切替を可能にし、光ファイバ主配線架の切替機能と加入者側の伝送装置側の切替機能によって光ファイバ伝送路の予備系への切替を可能にするように構成されている。
一方、特許文献２に記載の光伝送システムにおいては、センタ装置とユーザ装置とを多段に配置した光分岐素子及び光ファイバ伝送路を介して接続し、センタ装置とユーザ装置との間で信号伝送を行う多段光分岐ポイント−マルチポイント光伝送システムにおいて、センタ装置〜光分岐素子間やセンタ装置〜ユーザ装置間に複数の光ファイバ伝送路を設け、これら複数の光ファイバ伝送路のうち使用する光ファイバ伝送路を選択する経路選択手段を備えるようにしている。
【０００６】
【特許文献１】特開平０５−２５２５４８号公報（第１図）
【特許文献２】特開平０８−２４２２０７号公報（第１−２頁）
【発明の開示】
【発明が解決しようとする課題】
【０００７】
しかしながら、従来のＰＯＮにおいては、図１０に示すように、光終端装置において何らかの故障が検出され、局側伝送装置などの上位装置を介し、管理者がアラーム通知を受け取るまでの時間は勿論のこと、その後、管理者その他の保守対応者等が現地に移動して装置交換が完了するまでには相当の時間を要し、その間の通信断による影響は計り知れない。
仮に、迅速に部品交換が行われる環境にあったとしても、時分割多重方式を採用するこれらの装置においては、通信を再開する際、通信タイミングが確定するまでの間、一時的に通信が途絶えてしまい不都合である。
【０００８】
また、上述の特許文献１記載の予備系切替方式においては、局内伝送装置と加入者側伝送装置間を別々の経路にて接続するようになっており、その分光ケーブルを余分に敷設しなければならないこととなる。
このため、材料費用のみならず、労務費用も莫大なものとなるだけでなく、さらに、実現までに相当の期間を要するという問題点があった。
また、特許文献２記載の光伝送システムにおいても、各装置間のケーブルを冗長化するものであり、特許文献１と同様の問題があった。
【０００９】
本発明の目的は、上述した課題であるケーブル冗長化に伴うコスト増や通信断の長時間化を防ぎ、信頼性の高い回線終端装置、冗長システム、冗長化方法及び冗長化プログラムを提供することにある。
【課題を解決するための手段】
【００１０】
上記目的を達成するため、本発明の回線終端装置は、上位装置に接続された一の通信経路を複数に分岐する分岐手段と、前記分岐手段により分岐された各通信経路に接続され、前記上位装置と下位装置との通信を行わせる複数の送受信手段と、前記送受信手段のうち、前記上位装置と通信が行われている送受信手段の異常を検出するとともに、異常が検出された送受信手段を、他の送受信手段に切り替えて前記上位装置と下位装置との通信を行わせる制御手段と、を備える構成としてある。
【００１１】
また、本発明の冗長化通信システムは、上位装置と、下位装置と、前記上位装置と下位装置との通信を行わせる回線終端装置と、を備えた通信システムであって、前記回線終端装置が、前記上位装置に接続された一の通信経路を複数に分岐する分岐手段と、前記分岐手段により分岐された各通信経路に接続され、前記上位装置と下位装置との通信を行わせる複数の送受信手段と、前記送受信手段のうち、前記上位装置と通信が行われている送受信手段の異常を検出するとともに、異常が検出された送受信手段を、他の送受信手段に切り替えて前記上位装置と下位装置との通信を行わせる制御手段と、を備える構成としてある。
【００１２】
また、本発明の冗長化通信方法は、上位装置と下位装置との通信を回線終端装置を介して行う通信方法であって、前記上位装置に接続された一の通信経路を複数に分岐し、分岐された各通信経路に接続された送受信手段のうち、一の送受信手段を介して前記上位装置と下位装置との通信を行わせるステップと、前記上位装置と通信が行われている送受信手段の異常を検出するステップと、異常が検出された前記送受信手段を、他の送受信手段に切り替えて前記上位装置と下位装置との通信を行わせるステップと、を有する方法としてある。
【００１３】
さらに、本発明の冗長化通信プログラムは、上位装置と下位装置との通信を回線終端装置を介して行わせる通信プログラムであって、回線終端装置を構成するコンピュータを、前記上位装置に接続された一の通信経路を複数に分岐し、分岐された各通信経路に接続された送受信手段のうち、一の送受信手段を介して前記上位装置と下位装置との通信を行わせる手段、前記上位装置と通信が行われている送受信手段の異常を検出する手段、異常が検出された前記送受信手段を、他の送受信手段に切り替えて前記上位装置と下位装置との通信を行わせる手段、として機能させるためのプログラムとしてある。
【発明の効果】
【００１４】
本発明によれば、ケーブルの冗長化を必要とすることなく、低コストで信頼性の高いネットワークを構築することができ、かつ、通信の復旧も短時間で行える。
すなわち、ネットワークを構成する装置において、故障発生率の高い部品を冗長化し、障害発生時に動的に切り替える構成としているため、信頼性に優れた回線終端装置又はその通信システムを容易に実現することが可能となる。
【発明を実施するための最良の形態】
【００１５】
以下、本発明の好ましい実施形態について図１〜図８を参照して説明する。
ここで、以下に示す本発明の一実施形態に係る光終端装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の光終端装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１６】
図１は、本発明の一実施形態に係る冗長構成の光終端装置を含むＰＯＮを示すシステム構成図であり、図２は、ＰＯＮを構成する光終端装置の詳細な構成を示すブロック図である。
図１に示すＰＯＮ（PassiveOpticalNetwork）は、上位装置となる局側光伝送装置３から引き込まれた光ケーブルが、所定箇所において光スプリッタによって分岐されており、光終端装置（＃１〜＃３）を介して、光ケーブルを複数の加入者端末（＃１〜＃３）で利用することができるようになっている。
従って、局側光伝送装置３と光終端装置（＃１〜＃３）の関係は、１対多（１対１を含む）の関係にある。
【００１７】
そして、本実施形態では、図１に示すように、各光終端装置＃１〜＃３の任意の光終端装置について、本発明に係る光終端装置１と置き換えるようにしてある。
本発明に係る光終端装置１は、上位装置となる局側光伝送装置３に接続された一の通信経路（光ケーブル）を複数の通信経路（光ケーブル）に分岐する分岐手段となる光スプリッタ２を備えるとともに、インタフェース部である光送受信部２１が冗長構成となっており（光送受信部２１ａ，２１ｂ）、一方を運用系、もう一方を予備系として使用し、いずれかの光送受信部を介しても加入者端末＃１と局側光伝送装置３との通信が行えるようになっている。
これにより、万一、アクティブ状態にある運用系の光送受信部（２１ａ又は２１ｂ）が故障した場合でも、もう一方の予備系の光送受信部（２１ｂ又は２１ａ）に接続を切り替えることで、連続した通信が可能となり、ダウンタイムの少ない安定した通信が行えるようにしている。
【００１８】
図２は、本実施形態に係る光終端装置１の詳細構成を示すブロック図である。
同図に示すように、本実施形態に係る光終端装置１は、光ファイバ接続用のコネクタ１１（１１ａ，１１ｂ）、光送受信部２１（２１ａ，２１ｂ）、セレクタ３１、光インタフェース制御部４１、パケット処理部５１、ＣＰＵ部６１及びユーザインタフェースコネクタ部７１の各部を備えている。
【００１９】
コネクタ１１は、局側光伝送装置３などの上位装置からの光ケーブルが光スプリッタ２により分岐されて冗長化された複数の光ケーブルを接続するためのコネクタである。
本実施形態では、図２に示すように、一本の光ケーブルｃが、光スプリッタ２により二つの分岐ケーブルである光ケーブルａ及び光ケーブルｂに分岐され、各光ケーブルａ，ｂに対応して、二つのコネクタ１１ａ，１１ｂが備えられている。
【００２０】
光送受信部２１（２１ａ，２１ｂ）は、本発明に係る上位装置と下位装置との通信を行わせるための送受信手段である。
具体的には、光送受信部２１は、局側光伝送装置３と接続するためのインタフェースを構成する光モジュール２０１（２０１ａ，２０１ｂ）を含む送受信回路等からなり、光／電気変換やシリアル／パラレル変換を行うことで、上位装置となる局側光伝送装置３と下位装置となる加入者端末との通信を行わせるようになっている。
この光送受信部２１は、コネクタ１１とともに複数（本実施形態においては２つ）備えられる冗長構成となっており、一方が運用系、もう一方が予備系として使用されるようになっている。
【００２１】
そして、アクティブ状態にある運用系の光送受信部２１ａ（又は２１ｂ）に何等かのハードウェア故障が発生した場合には、所定の異常検出信号（異常検出信号ａ）が出力され、ＣＰＵ部６１の制御により、予備系の光送受信部２１ｂ（又は２１ａ）が運用系に自動的に切り替えられるようになっている。
ここで、光送受信部２１から異常検出信号（異常検出信号ａ）が出力されるハードウェア故障としては、例えば、光送信部にて検知される送信異常、光受信部にて検知されるデータ同期異常や光レベル異常等の受信異常等が挙げられる。但し、光送受信部２１からどのような異常信号を出力可能かについては、構成要素等に依存するため、上記のような場合に限られるものではない。
【００２２】
なお、図３に示すように、光送受信部２１（２１ａ，２１ｂ）は、光終端装置１に対して着脱可能である構成が望ましく、好ましくは、通電状態においても光終端装置１に対して着脱可能な、所謂ホットスワップ（活線挿抜）対応の構成とすることが望ましい。
このように光送受信部２１をホットスワップ型の機器に構成することで、電源を入れた状態のまま、故障した光送受信部２１ｂを正常な光送受信部２１ｂ’に交換することができ、運用中の回線を止めることなく光送受信部２１の交換作業が行えるようになる。
【００２３】
セレクタ３１は、ＣＰＵ部６１の制御のもと、光送受信部２１を切り替える切替手段である。
具体的には、セレクタ３１は、ＣＰＵ部６１からの制御信号により、例えば、アクティブ状態にある光送受信部２１ａに障害が発生したときには、スタンバイ状態にある他方の光送受信部２１ｂをアクティブ状態にし、光送受信部２１ｂを介した通信に切り替える。
【００２４】
光インタフェース制御部４１は、局側光伝送装置３との接続や通信を行うための機能について処理を行う。
具体的には、光インタフェース制御部４１は、局側光伝送装置３からのメッセージ処理、送信データの組み立て、あるいは光送受信部２１のアラーム監視などの役割を担っている。
そして、局側光伝送装置３から光送受信部の切り替え指示信号を受信した場合に、光インタフェース制御部４１は、通信を行っている光送受信部２１に何等かの異常があるとみなして、所定の異常検出信号（異常検出信号ｂ）を出力して、ＣＰＵ部６１に入力する。
この異常検出信号ｂに基づくＣＰＵ部６１の制御により、予備系の光送受信部２１が運用系に自動的に切り替えられるようになっている。
【００２５】
また、光インタフェース制御部４１は、光送受信部２１において局側光伝送装置３との通信に使用する所定のパラメータ（通信設定値）を設定する。
ここで、局側光伝送装置３との通信に使用する所定のパラメータとしては、例えば、EqD（EqualizationDelay）パラメータ等が相当する。
【００２６】
そして、本実施形態では、光インタフェース制御部４１により、上述したセレクタ３１による光送受信部２１の切替後に使用するパラメータ（通信設定値）として、元の通信におけるパラメータをそのまま継続して使用できるようになっている。
【００２７】
パケット処理部５１は、データの変換（加工）やフィルタリングなどの機能について処理するものであり、具体的には、Ｌ２スイッチやＬ３スイッチと呼ばれるＬＳＩ等によって構成されている。
【００２８】
ＣＰＵ部６１は、光終端装置１全体の動作制御を行う制御手段であり、各部からの情報収集や各部への命令、その他の制御を行うものである。
特に、本実施形態においては、ＣＰＵ部６１は、運用系と待機系の光送受信部２１の切替を行う切替手段として機能するようになっている。
具体的には、ＣＰＵ部６１は、光送受信部２１ａのハードウェア故障や受信レベルの低下に対応して発信される上述した異常検出信号（異常検出信号ａ又は異常検出信号ｂ）を入力すると、セレクタ３１にデータ切り替え用制御信号を送信して、異常のある光送受信部２１ａを正常な光送受信部２１ｂに切り替えるようになっている。
【００２９】
また、ＣＰＵ部６１は、局側光伝送装置３からの切替信号の受信に応じて、アクティブ状態にある光送受信部２１ａをスタンバイ状態にある他の光送受信部２１ｂに切り替えることも可能となっている（本発明のリモート制御手段）。
さらに、ＣＰＵ部６１は、異常検出信号ａ又は異常検出信号ｂに基づく送受信部２１ａの異常を検出したとき、又は光送受信部２１ａを光送受信部２１ｂに切り替えた場合に、局側光伝送装置３に対してその旨を示す所定信号を送信することが可能である（本発明の通知手段）。
これにより、局側光伝送装置３等の上位装置は、光終端装置１の送受信部２１に異常が発生したこと、又は、異常発生に伴い送受信部２１を切り替えたことを検知し、管理者等に警告することができるようになる（本発明の警告手段）。
【００３０】
ユーザインタフェースコネクタ部７１は、下位装置である加入者端末等を接続するためのコネクタ等のインタフェースである。
このユーザインタフェースコネクタ部７１を介して、加入者端末＃１〜＃３が局側光電送装置３と通信可能に接続されることになる（図１参照）。
【００３１】
局側光伝送装置３は、光終端装置１や加入者端末を下位装置とした場合の上位装置として位置づけられる装置である。
そして、本実施形態では、局側光伝送装置３は、切替信号送信手段、警告手段、送信制御手段として機能している。
【００３２】
切替信号送信手段は、光終端装置１から送信されるデータの受信レベルが一定値以下であるときにその光終端装置１に対して所定の切替信号を送信するものであり、これを受信した光終端装置１は、光インタフェース制御部４１が異常検出信号ｂを出力して、光送受信部２１を自動的に切り替えるようにしている。
これは、光終端装置１からの受信データの品質が一定値以下となった場合には、その光終端装置１に何等かの異常が発生したものと考えられるためである。
【００３３】
また、警告手段は、光終端装置１の送受信部２１に異常が発生したこと、又は、異常発生に係る送受信部２１が切り替えられたことを光終端装置１を介して検知し、管理者等に警告を発するものであり、ディスプレイ表示、ランプ表示、音声通知等により具体的な警告を行う。
送信制御手段は、光終端装置１における光送受信部２１の切替後に、データを再送信するにあたり、その送信タイミングを補正して適正な同期を図るものである。
【００３４】
次に、以上のような構成からなる本実施形態に係る光終端装置１の光送受信部２１における送受信の状態遷移について、図４を参照しつつ説明する。
図４は、本実施形態に係る光終端装置１における光送受信部２１の状態を示す状態遷移図である。
同図に示すように、本実施形態に係る光終端装置１において、光送受信部２１の状態としては、主に、異常発生前（正常時）、異常発生時及び切替後の３つのモードに分かれる。
【００３５】
図４（ａ）は、正常時における光送受信部２１の状態を示す状態遷移図である。
同図に示すように、正常時、ＣＰＵ部６１は、セレクタ３１を制御して光送受信部２１ａを運用系としてアクティブ状態にしている。
すなわち、光送受信部２１ａを介して上位装置と下位装置との通信が行われている状態である。
なお、この場合、光送受信部２１ｂは待機系としてスタンバイ状態となっている。
【００３６】
図４（ｂ）は、異常発生時における光送受信部２１の状態を示す状態遷移図である。
同図に示すように、光送受信部２１ａにおいて何らかの異常が発生すると、光送受信部２１ａからの異常検出信号ａがＣＰＵ部６１に伝えられる。
そこで、ＣＰＵ部６１は、あらためて光送受信部２１ａ及び光送受信部２１ｂが正常か異常かチェックし、正常な光送受信部２１ｂを選択するようセレクタ３１に命令する。
【００３７】
図４（ｃ）は、切替後の光送受信部の状態を示す状態遷移図である。
同図に示すように、ＣＰＵ部６１は、光送受信部２１ａを切り離す等して無効化するとともに、光送受信部２１ｂをスタンバイ状態（待機系）からアクティブ状態（運用系）に変更する指示を行い、これにより光送受信部２１の切替処理は実行される。
ここで、上述したように、切替後の通信パラメータについては、元の通信において使用していたものと同一パラメータが継続して使用されるようになっている。また、局側光伝送装置３においても、光終端装置１との通信再開のタイミングを自動的に補正し、適切に同期できるようにしている。
これにより、障害時でもデータ通信断の時間が極めて短く、安定した通信が行われるようになる。
【００３８】
次に、本実施形態に係る光終端装置の動作手順について、図５を参照しながら説明する。
図５は、本実施形態に係る光終端装置の動作手順を示すフローチャートである。
まず、本実施形態に係る光終端装置１を介して加入者端末と局側光伝送装置３との通信が正常に行われており、このような状況のもと、ＣＰＵ部６１は、常に、光送受信部２１の状態を監視しているものとする。
【００３９】
ここで、ＣＰＵ部６１が、アクティブ状態にある光送受信部２１における異常発生を検知した場合（Ｓ１：ＹＥＳ）、その光送受信部２１と他の正常な光送受信部２１とを切り替えるようにセレクタ３１に命令を行い、切替が実行される（Ｓ２）。
例えば、図６（ａ）に示すように、光送受信部２１ａがアクティブ状態、すなわち通信状態にあり、図示しない局側光伝送装置３との通信中に光送受信部２１ａに何らかの異常が発生した場合には、図６（ｂ）に示すように、光送受信部２１の切替処理を実行し、それまでスタンバイ状態にあった光送受信部２１ｂをアクティブ状態とする。
【００４０】
一方、ステップＳ２の切替処理を実行するとともに、光終端装置１の光送受信部２１に異常があった旨を管理者等に通知する（Ｓ３）。
具体的には、光終端装置１から局側光伝送装置３に所定信号を送信することによって、システム管理者等にアラーム警告を行うことができる。
そして、その後、保守対応者等が、光終端装置１が設置される場所に到着し、異常が発生したところの光送受信部２１ａを交換することによって復旧作業は完了する（Ｓ４）。
【００４１】
以上説明したように、本実施形態の光終端装置１によれば、コネクタ１１ａ，１１ｂ、光送受信部２１ａ，２１ｂ、セレクタ３１及びＣＰＵ部６１を有している。
まず、コネクタ１１ａ、１１ｂは、光スプリッタ２によって分岐され、二重に引き込まれた光ケーブルを接続するようにしている。
また、光送受信部２１も、コネクタに対応して複数備えられており、アクティブ（通信）中の光送受信部２１ａとスタンバイ状態にある光送受信部２１ｂとによって冗長化構成されている。
そして、光終端装置１はＣＰＵ部６１が、光送受信部２１ａの異常を検知すると、セレクタ３１を介して光送受信部２１ａと光送受信部２１ｂとを自動的に切り替えるようにしている。
【００４２】
さらに、切り替えの際に、元の通信パラメータを継続使用したり、切替後の再通信に係る上位装置側からのデータ送信のタイミングを自動的に補正するようにしている。
また、光送受信部２１に異常があると判断した場合には、上位装置を介して管理者に通知し、装置の交換を促すだけでなく、上位装置側からの指示に基づく光送受信部２１のリモート切替制御も可能としている。
【００４３】
具体的には、図７に示すように、運用系（アクティブ中）の光送受信部２１ａにおいて故障が検出された場合、自動的に予備系（スタンバイ状態）の光送受信部２１ｂに切り替えられるとともに、故障発生通知が局側伝送装置３を介して管理者に通知される。
そして、本発明の光終端装置１は、運用系として用いていたパラメータと同じパラメータを設定することで、元の通信を継続して行うこととしている。
また、上位装置側の機能として、通信再開時のデータ送信のタイミングを自動補正することもできる。
【００４４】
このように、光送受信部２１やコネクタ１１等、故障の多いインタフェース部を冗長構成にすることで、故障時の通信断にかかる時間を最小にすることが可能となるだけでなく、既存の装置を容易にアップグレードすることも可能である。
また、再通信に関するパラメータ設定や同期制御が自動的に行われるため、円滑な切替が可能となっている。
このため、従来のように、光ケーブルや上位装置の構成を冗長化することなく、さらに信頼性に優れた光終端装置１を容易に実現し、提供することが可能となる。
【００４５】
以上、本発明の回線終端装置について、好ましい実施形態を示して説明したが、本発明にかかる回線終端装置は、上述した実施形態にのみ限定されるものではなく、本発明の範囲で種々の変更実施が可能であることは言うまでもない。
例えば、本発明の回線終端装置は、光終端装置ではなく、広く通信ケーブルを終端する装置であってもよい。
これにより、優れた信頼性を備えた多様な通信システムやネットワークを構築することが可能となり、本発明の拡張性をさらに高めることができるようになる。
また、本発明に係る回線終端装置は、当該装置そのものを冗長化する構成であっても良い。
【産業上の利用可能性】
【００４６】
本発明は、光ファイバにより接続される宅内（ユーザ）側の光終端装置等に好適に利用することができる。
【図面の簡単な説明】
【００４７】
【図１】本発明の一実施形態に係る冗長構成の光終端装置を含むＰＯＮを示すシステム構成図である。
【図２】図１に示すＰＯＮを構成する光終端装置の詳細な構成を示すブロック図である。
【図３】本発明の一実施形態に係る光終端装置における光送受信部及びその着脱部の構造を説明するための説明図である。
【図４】本発明の一実施形態に係る光終端装置における光送受信部の状態を示す状態遷移図である。
【図５】本発明の一実施形態に係る光終端装置の動作手順を示すフローチャートである。
【図６】本発明の一実施形態に係る光終端装置における光送受信部の切替の様子を説明するための説明図である。
【図７】本発明の一実施形態に係る光終端装置の光送受信部において故障が発生した後の様子を説明するための説明図である。
【図８】ＰＯＮの一般的な構成を示したシステム構成図である。
【図９】一般的なＰＯＮの障害検出方法を説明するためのブロック図である。
【図１０】一般的なＰＯＮを構成する光終端装置の光送受信部において故障が発生した後の様子を説明するための説明図である。
【符号の説明】
【００４８】
１  光終端装置
１１  コネクタ
２１  光送受信部
２０１  光モジュール
３１  セレクタ
４１  光インタフェース制御部
５１  パケット処理部
６１  ＣＰＵ部
７１  ユーザインタフェースコネクタ部
２  光スプリッタ
３  局側光伝送装置
【図１】
2009206540.tif 000003
【図２】
2009206540.tif 000004
【図３】
2009206540.tif 000005
【図４】
2009206540.tif 000006
【図５】
2009206540.tif 000007
【図６】
2009206540.tif 000008
【図７】
2009206540.tif 000009
【図８】
2009206540.tif 000010
【図９】
2009206540.tif 000011
【図１０】
2009206540.tif 000012